【手続補正書】
【提出日】平成20年5月9日(2008.5.9)
【手続補正１】
【補正対象書類名】特許請求の範囲
【補正対象項目名】全文
【補正方法】変更
【補正の内容】
【特許請求の範囲】
【請求項１】
印刷装置で印刷すべき印刷命令を生成するコンピュータにより実行可能なプログラムであって、
操作者により入力される、少なくとも用紙種類を含む印刷設定情報を取得する取得手段と、
合紙を自動挿入する自動挿入モードの実行中に、前記取得手段で取得された前記印刷設定情報の用紙種類に基づいて合紙を挿入するページ位置を決定する決定手段と、
前記印刷装置に対してページ単位の印刷命令を発行する印刷手段と、
前記決定手段により決定されたページ位置に合紙を挿入する命令を前記印刷装置に対して発行する合紙挿入手段と
してコンピュータを機能させることを特徴とするプログラム。
【請求項２】
前記決定手段は、前記印刷設定情報に加えて、アプリケーションプログラムより渡されたアプリケーションデータ、または前記アプリケーションデータをラスタライズしたラスタデータ、または前記ラスタデータを疑似階調処理したハーフトーンデータのいずれかをさらに用いて、ページごとに合紙を挿入するか否か決定することで、前記合紙を挿入するページ位置を決定することを特徴とする請求項１に記載のプログラム。
【請求項３】
前記印刷装置は、印刷済みの用紙が乾燥するまで一定時間印刷間隔を空ける乾燥時間待ちモードの設定が前記コンピュータにより可能であり、
前記決定手段により決定された、ページ位置に該当するページについては、乾燥時間待ちモードをオフとして印刷命令を発行することを特徴とする請求項１または２に記載のプログラム。
【請求項４】
前記印刷装置は、印刷済みの用紙が乾燥するまで一定時間印刷間隔を空ける乾燥時間待ちモードの設定が前記コンピュータにより可能であり、
合紙が挿入されないページについては、乾燥時間待ちモードをオンとして印刷命令を発行することを特徴とする請求項１乃至３のいずれか１項に記載のプログラム。
【請求項５】
前記合紙挿入手段では、前記印刷装置における給紙ビンの指定を含めて、合紙を挿入する命令を前記印刷装置に対して発行することを特徴とする請求項１乃至４のいずれか１項に記載のプログラム。
【請求項６】
前記印刷装置は自動両面印刷機能を備え、
前記決定手段はさらに、前記印刷設定情報に含まれる印刷方法が自動両面印刷の場合には、着目ページが奇数ページか否かに応じて、ページごとに合紙を挿入するか否か決定することで前記合紙を挿入するページ位置を決定することを特徴とする請求項１乃至５のいずれか１項に記載のプログラム。
【請求項７】
前記決定手段はさらに、前記印刷設定情報に含まれる印刷方法が、片面ずつまとめて印刷する手動両面印刷の場合には、片面のデータを前記印刷装置に発行した際に、合紙挿入命令を発行したページ位置を記憶しておき、残りの片面の印刷に際して、合紙挿入していない位置を、前記合紙を挿入するページ位置と決定することを特徴とする請求項１乃至６のいずれか１項に記載のプログラム。
【請求項８】
前記印刷装置による印刷の終了後に、合紙挿入したページ位置を表示する表示手段としてコンピュータをさらに機能させることを特徴とする請求項１乃至７のいずれか１項に記載のプログラム。
【請求項９】
印刷装置が接続されたコンピュータにより実行可能なプログラムであって、
印刷設定情報に基づいて印刷済みの用紙の乾燥に要する乾燥時間と一定値とを比較して、いずれが大きいか判定する比較手段と、
前記比較手段による比較の結果、前記乾燥時間の方が大きいと判定された場合、前記印刷装置に対して、前記印刷装置により印刷されるシート１枚分の印刷命令の発行と合わせて、合紙の挿入命令を発行する合紙挿入手段と
してコンピュータを機能させることを特徴とするプログラム。
【請求項１０】
印刷装置が接続されたコンピュータにより実行可能なプログラムであって、
印刷設定情報に基づいて１ページに含まれるオブジェクトのうち、イメージオブジェクトの占めるイメージ率と一定値とを比較して、いずれが大きいか判定する比較手段と、
前記比較手段による比較の結果、前記イメージ率の方が大きいと判定された場合、前記印刷装置により印刷されるシート１枚分の印刷命令の発行と合わせて、合紙の挿入命令を前記印刷装置に対して発行する合紙挿入手段と
してコンピュータを機能させることを特徴とするプログラム。
【請求項１１】
前記合紙挿入手段は、前記印刷設定情報に含まれる印刷方法が自動両面印刷であれば２ページ分の印刷命令を発行するごとに合紙の挿入命令を前記印刷装置に対して発行し、印刷方法が自動両面印刷でなければ１ページ分の印刷命令を発行するごとに合紙の挿入命令を前記印刷装置に対して発行することを特徴とする請求項９または１０に記載のプログラム。
【請求項１２】
前記比較手段は、前記印刷設定情報に含まれる印刷品位と用紙種類とに応じてあらかじめ与えられた値を前記乾燥時間とし、合紙挿入に要する時間を前記一定値として比較を行うことを特徴とする請求項９乃至１１のいずれか１項に記載のプログラム。
【請求項１３】
印刷装置と接続された情報処理装置であって、
操作者により入力される、少なくとも用紙種類を含む印刷設定情報を取得する取得手段と、
合紙を自動挿入する自動挿入モードの実行中に、前記取得手段で取得された前記印刷設定情報の用紙種類に基づいて合紙を挿入するページ位置を決定する決定手段と、
前記印刷装置に対してページ単位の印刷命令を発行する印刷手段と、
前記決定手段により決定されたページ位置に合紙を挿入する命令を前記印刷装置に対して発行する合紙挿入手段と
を備えることを特徴とする情報処理装置。
【請求項１４】
印刷装置が接続された情報処理装置であって、
印刷設定情報に基づいて印刷済みの用紙の乾燥に要する乾燥時間と一定値とを比較して、いずれが大きいか判定する比較手段と、
前記比較手段による比較の結果、前記乾燥時間の方が大きいと判定された場合、前記印刷装置に対して、前記印刷装置により印刷されるシート１枚分の印刷命令の発行と合わせて、合紙の挿入命令を発行する合紙挿入手段と
を備えることを特徴とする情報処理装置。
【請求項１５】
印刷装置が接続された情報処理装置であって、
印刷設定情報に基づいて１ページに含まれるオブジェクトのうち、イメージオブジェクトの占めるイメージ率と一定値とを比較して、いずれが大きいか判定する比較手段と、
前記比較手段による比較の結果、前記イメージ率の方が大きいと判定された場合、前記印刷装置により印刷されるシート１枚分の印刷命令の発行と合わせて、合紙の挿入命令を前記印刷装置に対して発行する合紙挿入手段と
を備えることを特徴とする情報処理装置。
【請求項１６】
印刷装置に接続された、取得手段と決定手段と印刷手段と合紙挿入手段とを有する情報処理装置における前記印刷装置の制御方法であって、
前記取得手段が、操作者により入力される、少なくとも用紙種類を含む印刷設定情報を取得する取得工程と、
前記決定手段が、合紙を自動挿入する自動挿入モードの実行中に、前記取得工程で取得された前記印刷設定情報の用紙種類に基づいて合紙を挿入するページ位置を決定する決定工程と、
前記印刷手段が、前記印刷装置に対してページ単位の印刷命令を発行する印刷工程と、
前記合紙挿入手段が、前記決定工程により決定されたページ位置に合紙を挿入する命令を前記印刷装置に対して発行する合紙挿入工程と
を有することを特徴とする方法。
【請求項１７】
印刷装置に接続された、比較手段と合紙挿入手段とを有する情報処理装置における前記印刷装置の制御方法であって、
前記比較手段が、印刷設定情報に基づいて印刷済みの用紙の乾燥に要する乾燥時間と一定値とを比較して、いずれが大きいか判定する比較工程と、
前記合紙挿入手段が、前記比較工程による比較の結果、前記乾燥時間の方が大きいと判定された場合、前記印刷装置に対して、前記印刷装置により印刷されるシート１枚分の印刷命令の発行と合わせて、合紙の挿入命令を発行する合紙挿入工程と
を備えることを特徴とする方法。
【請求項１８】
印刷装置に接続された、比較手段と合紙挿入手段とを有する情報処理装置における前記印刷装置の制御方法であって、
前記比較手段が、印刷設定情報に基づいて１ページに含まれるオブジェクトのうち、イメージオブジェクトの占めるイメージ率と一定値とを比較して、いずれが大きいか判定する比較工程と、
前記合紙挿入手段が、前記比較工程による比較の結果、前記イメージ率の方が大きいと判定された場合、前記印刷装置により印刷されるシート１枚分の印刷命令の発行と合わせて、合紙の挿入命令を前記印刷装置に対して発行する合紙挿入工程と
を備えることを特徴とする方法。
【手続補正２】
【補正対象書類名】明細書
【補正対象項目名】０００７
【補正方法】変更
【補正の内容】
【０００７】
印刷装置で印刷すべき印刷命令を生成するコンピュータにより実行可能なプログラムであって、
操作者により入力される、少なくとも用紙種類を含む印刷設定情報を取得する取得手段と、
合紙を自動挿入する自動挿入モードの実行中に、前記取得手段で取得された前記印刷設定情報の用紙種類に基づいて合紙を挿入するページ位置を決定する決定手段と、
前記印刷装置に対してページ単位の印刷命令を発行する印刷手段と、
前記決定手段により決定されたページ位置に合紙を挿入する命令を前記印刷装置に対して発行する合紙挿入手段と
してコンピュータを機能させることを特徴とする。
【手続補正３】
【補正対象書類名】明細書
【補正対象項目名】０００８
【補正方法】変更
【補正の内容】
【０００８】
あるいは、印刷装置が接続されたコンピュータにより実行可能なプログラムであって、
印刷設定情報に基づいて印刷済みの用紙の乾燥に要する乾燥時間と一定値とを比較して、いずれが大きいか判定する比較手段と、
前記比較手段による比較の結果、前記乾燥時間の方が大きいと判定された場合、前記印刷装置に対して、前記印刷装置により印刷されるシート１枚分の印刷命令の発行と合わせて、合紙の挿入命令を発行する合紙挿入手段と
してコンピュータを機能させることを特徴とする。
【手続補正４】
【補正対象書類名】明細書
【補正対象項目名】０００９
【補正方法】変更
【補正の内容】
【０００９】
あるいは、印刷装置が接続されたコンピュータにより実行可能なプログラムであって、
印刷設定情報に基づいて１ページに含まれるオブジェクトのうち、イメージオブジェクトの占めるイメージ率と一定値とを比較して、いずれが大きいか判定する比較手段と、
前記比較手段による比較の結果、前記イメージ率の方が大きいと判定された場合、前記印刷装置により印刷されるシート１枚分の印刷命令の発行と合わせて、合紙の挿入命令を前記印刷装置に対して発行する合紙挿入手段と
してコンピュータを機能させることを特徴とする。